(57)【要約】【課題】折畳み式携帯電話装置の筐体外面に、オーディオ再生するために必要な情報が充分表示できるオーディオ表示部と、また、そのための操作も行えるオーディオ操作部とを設けることにより、折り畳んだ状態で、携帯式音楽再生装置と同等の操作性を有する折畳み式携帯電話装置を提供する。【解決手段】折畳み式携帯電話装置１の受話器側筐体１１と送話器側筐体１２を閉じたとき、受話器側筐体１１に存する表示部と反対面に、或いは送話器側筐体１２に存する操作部と反対面に、音楽データの情報を表示するオーディオ情報表示手段１４と音楽データを再生するためのオーディオ操作手段１５とを設ける。【選択図】      図２
2005006161.tif 000002
【特許請求の範囲】
【請求項１】
開いた状態で操作可能な操作部を有する送話器側筐体と、開いた状態で視認可能な表示部を有する受話器側筐体とで構成され、それぞれの筐体がその一端部を軸として回動可能に連結された音楽データの再生が可能な折畳み式携帯電話装置において、
前記受話器側筐体と送話器側筐体を閉じたとき、前記受話器側筐体の前記表示部と反対面に、或いは前記送話器側筐体の前記操作部と反対面に、前記音楽データの情報を表示するオーディオ情報表示手段と前記音楽データを再生するためのオーディオ操作手段とを設けたことを特徴とする折畳み式携帯電話装置。
【請求項２】
前記音楽データは折畳み式携帯電話装置本体に着脱可能な記憶媒体に保存されることを特徴とする請求項１に記載の折畳み式携帯電話装置。
【請求項３】
前記音楽データは折畳み式携帯電話装置がインターネットに接続され、該インターネットを介して取得されることを特徴とする請求項１または請求項２に記載の折畳み式携帯電話装置。
【請求項４】
前記オーディオ操作手段は、音楽データに含まれる曲の再生を開始或いは一時停止する再生・一時停止キーと、曲の再生を停止する停止キーと、次の曲の頭出しを行う早送りキーと、前の曲の頭出しを行う巻き戻しキーと、再生音量を大きくするボリュームアップキーと、再生音量を小さくするボリュームダウンキーとを含むことを特徴とする請求項１乃至請求項３のいずれかに記載の折畳み式携帯電話装置。
【請求項５】
前記受話器側筐体と送話器側筐体が閉じられた状態で、前記送話器側筐体の前記操作部と同じ面に設けられた送話用マイクに所定のパターンを有する音声が入力されると、その音声は内蔵する音声認識手段によって認識・識別されて、前記音楽データの再生の制御を行うことを特徴とする請求項１乃至請求項４のいずれかに記載の折畳み式携帯電話装置。
【請求項６】
前記受話器側筐体と送話器側筐体が閉じられた状態で、前記オーディオ情報表示手段に表示される文字情報は、内蔵する音声合成手段によって合成されて音声出力として出力されることを特徴とする請求項１乃至請求項５のいずれかに記載の折畳み式携帯電話装置。
【請求項７】
外部のオーディオ機器に接続可能な外部機器接続手段と、該外部機器接続手段を介して接続された外部のオーディオ機器の制御を行う外部機器制御手段とを備え、前記受話器側筐体と送話器側筐体が閉じられた状態で、前記オーディオ操作手段を介して前記外部のオーディオ機器のオーディオ再生に係わる遠隔操作が行われることを特徴とする請求項１乃至請求項６のいずれかに記載の折畳み式携帯電話装置。
【請求項８】
前記外部機器接続手段と外部機器制御手段とにより、前記受話器側筐体と送話器側筐体が閉じられた状態で、前記オーディオ操作手段を介して前記外部のオーディオ機器で再生される音楽データが取得され、前記記憶媒体に格納されることを特徴とする請求項２に記載の折畳み式携帯電話装置。
【発明の詳細な説明】
【０００１】
【発明の属する技術分野】
本発明は、オーディオ機能を有する折畳み式携帯電話装置に関し、特に、折り畳んだ状態で装置の本体筐体の外面にオーディオ機能を操作するための操作部と表示部とを設けた折畳み式携帯電話装置に関する。
【０００２】
【従来の技術】
近年、容易に持ち運ぶことが可能で、多様な機能を有する移動端末が急速に普及している。その代用例が携帯電話装置であり、通話、Ｅメール、インターネット接続、デジタルカメラ、オーディオ再生などの多様な機能が盛り込まれている。それに伴い、このような機能に必要な情報を表示するため表示文字数の増加が求められ、携帯型としては比較的大表示画面を具備する折畳み式が主流になりつつある。
【０００３】
また、従来から、オーディオテープ、ＣＤ、或いはＭＤなどの記録媒体を使用したオーディオ装置は多数存在するが、ＭＰＥＧ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ−３）やＯｇｇ  Ｖｏｒｉｂｓなどのデータ圧縮技術の発達と、メモリカードや超小型ハードディスクなどに見られる記憶装置の高記録密度化及び小型化によって、携帯電話装置でも多量の音楽が記憶でき、聴くことが可能となっている。そのため、通話同様、オーディオを聴くためにも、様々な操作や表示が必要になる。
【０００４】
しかし、折畳み式携帯電話装置は閉じられた状態では、表示部は外部から見えず、また、操作部も外部からは操作ができない構造になっている。従って、折畳んだ状態でも、時刻や着信通知を含む最低限必要な表示が行われる副表示部を備えた折畳み式携帯電話装置も存在する。
【０００５】
特許文献１は、折り畳まれた状態で、受信した文字や図形などの非音声情報を外面に表示する表示部と、スクロールキーや表示開始キーなど、非音声情報を表示させるために必要な操作部を外面に設けた折畳み式携帯電話装置を提案している。
【０００６】
【特許文献１】
特開２００１−１３６２４８号公報
【０００７】
【発明が解決しようとする課題】
このように、音楽再生可能な折畳み式携帯電話装置では、記憶される音楽の数が増加すると、通信時以外は携帯式オーディオ装置として使用される頻度も高くなり、オーディオの操作には携帯式オーディオ装置と同様な操作性が求められることもある。
【０００８】
しかし、従来の装置においては、オーディオ機能を利用するためには、携帯電話装置を開いた状態にして、再生するための情報を主表示部に表示させ、同様に主操作部から他のキーと兼用されるオーディオ用の操作キーを操作して音楽などを聴く必要があった。
【０００９】
本発明は、上記の実情に鑑みなされたものであり、折畳み式携帯電話装置の筐体外面に、オーディオ再生するために必要な情報が充分表示できるオーディオ表示部と、また、そのための操作も行えるオーディオ操作部とを設けることにより、折り畳んだ状態で、携帯式音楽再生装置と同等の操作性を有する折畳み式携帯電話装置を提供することを目的とする。
【００１０】
【課題を解決するための手段】
上記目的を達成するために、本発明は、開いた状態で通信に係わる操作のための操作部を有する送話器側筐体と、開いた状態で通信に係わる表示が行われる表示部を有する受話器側筐体とで構成され、それぞれの筐体がその一端部を軸として回動可能に連結された音楽データの再生が可能な折畳み式携帯電話装置において、受話器側筐体と送話器側筐体を閉じたとき、受話器側筐体に存する表示部と反対面に、或いは送話器側筐体に存する操作部と反対面に、音楽データの情報を表示するオーディオ情報表示手段と音楽データを再生するためのオーディオ操作手段とを設ける。
【００１１】
この折畳み式携帯電話装置本体には音楽データを記憶する着脱可能な記憶媒体を備えている。
【００１２】
また、この音楽データは、折畳み式携帯電話装置がその通信機能を利用してインターネットに接続され、該インターネットを介して取得される。
【００１３】
更に、オーディオ操作手段は、音楽データに含まれる曲の再生を開始或いは一時停止する再生・一時停止キーと、曲の再生を停止する停止キーと、次の曲の頭出しを行う早送りキーと、前の曲の頭出しを行う巻き戻しキーと、再生音量を大きくするボリュームアップキーと、再生音量を小さくするボリュームダウンキーとを含むものである。
【００１４】
受話器側筐体と送話器側筐体が閉じられた状態で、送話器側筐体の操作部と同じ面に設けられた送話用マイクに所定のパターンを有する音声が入力されると、その音声は内蔵する音声認識手段によって認識・識別されて、音楽データの再生の制御が行われる。
【００１５】
受話器側筐体と送話器側筐体が閉じられた状態で、オーディオ情報表示手段に表示される文字情報は、内蔵する音声合成手段によって合成されて音声出力として出力される。
【００１６】
外部のオーディオ機器に接続可能な外部機器接続手段と、該外部機器接続手段を介して接続された外部のオーディオ機器の制御を行う外部機器制御手段とを備え、受話器側筐体と送話器側筐体が閉じられた状態で、オーディオ操作手段を介してこの外部のオーディオ機器のオーディオ再生に係わる遠隔操作が行われる。
【００１７】
外部機器接続手段と外部機器制御手段とにより、受話器側筐体と送話器側筐体が閉じられた状態で、オーディオ操作手段を介して前記外部のオーディオ機器で再生される音楽データが取得されて記憶媒体に格納される。
【００１８】
【発明の実施の形態】
以下に本発明の実施形態を、図面を参照して説明する。図１は、本発明に係わる折畳み式携帯電話装置を開いた状態を示す斜視図である。折畳み式携帯電話装置１は、受話器側筐体１１と送話器側筐体１２との２つの部分がヒンジ１３によって回動可能に連結された構造である。受話器側筐体１１には、ＬＣＤから構成されて文字やグラフィックが表示される主表示部４と、受話のためのスピーカ６が備わっている。
【００１９】
また、送話器側筐体１２には、外部と無線通信を行うため伸縮自在に取り付けられたアンテナ２と、通話や情報通信操作のための入力キーなどを備えた主操作３と、送話のためのマイク５と、情報や音楽データが記憶される着脱可能な書き換え可能な不揮発性メモリからなるメモリカード方式の記憶媒体７と、例えばパソコンやオーディオ機器との接続のために利用される外部コネクタ８と、ヘッドホンやリモコンなどが接続可能なオーディオ出力コネクタ９と、受話器側筐体１１と送話器側筐体１２との開閉状態を検出する開閉センサ１０とが備わっている。開閉センサ１０は、受話器側筐体１１の対応する箇所に設けられた突起によって押動され、２つの筐体が閉じられたことを検出する。尚、記憶媒体７は不揮発性メモリに限定されず、小型ハードディスクや他の記憶媒体或いは記録装置であってもよい。
【００２０】
このような構成の折畳み式携帯電話装置１は、通常の携帯電話としての機能のほかに、インターネットなどに無線で接続して、配信される音楽データを受信して記憶媒体７に格納しておくことが可能である。また、記憶媒体７は着脱可能であるため、複数の記憶媒体７を利用することで更に多くの音楽を楽しむことが可能である。更に、外部コネクタ８を介してパソコンやオーディオ機器に折畳み式携帯電話装置１を接続すれば、それらの機器で再生される好みの音楽データを、折畳み式携帯電話装置１の記憶媒体７に転送して記憶させておくことも可能である。
【００２１】
また、このようにして記憶媒体７に記憶された音楽データを折畳み式携帯電話装置１で再生する場合、スピーカ６から出力させてもよいし、マイク５をスピーカとして動作するマイクを使用することにより、ステレオチャンネルの一方のオーディオチャンネルをこのマイク５から、他方のオーディオチャンネルをスピーカ６から出力するようにしてもよい。
【００２２】
次に、図１で示した折畳み式携帯電話装置１でオーディオ操作を行う場合について説明する。折畳み式携帯電話装置１を携帯オーディオ装置として利用する場合、折り畳んだ状態で鞄やポケットに入れて、イヤホン或いはリモコン付きイヤホンで音楽を聴く方法が一般的でもあり、便利である。特に軽装の上着のポケットなどに折畳み式携帯電話装置１を入れて音楽を聴く場合は、リモコンを使用せず、直接イヤホンで聴くことが好まれる場合もある。そうした使用者の操作方法も考慮すると、折畳み式携帯電話装置１の外面に、音楽などを聴く操作に必要な表示を行い、操作キーを設ける必要がある。
【００２３】
図２は、折畳み式携帯電話装置１を閉じた状態の正面図である。図１で示した同じ部分や構成品は同一符号を付与して、詳しい説明は省略する。図２は、図１で示した折畳み式携帯電話装置１の受話器側筐体１１が、ヒンジ１３を枢支軸として手前に折り畳まれ、送話器側筐体１２の主操作部３（図１）を上から覆った状態である。この状態で、開閉センサ１０（図１）が閉状態を検出することにより、この受話器側筐体１１の筐体外面（主表示部４の反対面）での、オーディオに係わる全ての操作が有効になるように構成されている。
【００２４】
受話器側筐体１１の筐体外面には、音楽や音声の出力がされるオーディオ用スピーカ６ａと、再生する音楽の曲情報が表示されるオーディオ表示部１４と、オーディオ操作部１５とが備わっている。また、オーディオ操作部１５は、曲の再生を開始したり一時停止させたりする再生／一時停止キー１６と、曲の再生を停止させる停止キー１７と、次の曲の頭出しを行って再生を開始する早送りキー１８と、前の曲の頭出しを行って再生を開始する巻き戻しキー１９と、音量を大きくするボリュームアップキー２０と、音量を小さくするボリュームダウンキー２１とからなる。
【００２５】
なお、折畳み式携帯電話装置１を鞄やポケットに収納しているときに、誤ってこれらのキーが操作されないように、キーロック機能を設けてもよい。その場合は、例えば、停止キー１７が所定の時間押され続けた場合、オーディオ操作部１５のキー全てによる操作をロックし、再度停止キー１７が所定の時間押され続けた場合にロックを解除するようにすれば便利である。
【００２６】
また、図２において、参照符号５は、送話器側筐体１２に備わっているマイクであり、このマイク５に、スピーカ機能を有するマイクを使用すれば、スピーカ６ａとともに音楽などをステレオで出力することができる。同時に、後述するように、折畳み式携帯電話装置１が音声認識機能を有し、音声認識によってオーディオ機能の操作もできるので、その場合のマイクとしても利用が可能である。尚、図示しないが、部品配置上の都合により、送話器側筐体１２の筐体外面（主操作部３の反対面）に、オーディオ操作の全ての操作が可能なように、オーディオ表示部１４とオーディオ操作部１５とを配置するようにしてもよい。その場合、送話器側筐体１２の筐体外面に、スピーカ６ａを移動させ、マイク５に代わるマイクを新たに備えるようにしてもよい。
【００２７】
次に、折畳み式携帯電話装置１の制御について、その概略を図３を参照して説明する。図３は、折畳み式携帯電話装置１の制御に係わるブロック図である。尚、図１及び図２と同じ部分や構成要素については同じ符号を付与することにより重複する説明は省略する。
【００２８】
折畳み式携帯電話装置１は、主操作部３と、オーディオ操作部１５と、主表示部４と、オーディオ表示部１４と、記憶媒体７と、外部コネクタ８と、開閉センサ１０と、各種のデータ変換を行うデータ変換部２９と、アンテナ２に接続され無線通信のための制御と信号の変換を行う通信制御部３０と、音声信号の処理を行う音声制御部３１と、制御プログラムと制御パラメータが記憶されている制御記憶部３２と、制御時の作業データや取得した情報が一時格納されるデータ記憶部３３と、文字情報を読み上げる際の音声を合成する音声合成部３４と、マイク５を介してオーディオ制御のために入力された音声指示を認識する音声認識部３５と、外部のオーディオ機器の操作を制御するための外部機器制御部３６とを備え、それぞれが全体の制御をつかさどるシステム制御部３７に接続されて制御される。また、マイク５とスピーカ６、６ａはそれぞれ音声制御部３１に接続されている。
【００２９】
上記の構成により、折畳み式携帯電話装置１は、開かれた状態で通常の携帯電話としての通話機能を実現するとともに、インターネットへの接続もできるようになっている。そのため、Ｅメールによる情報通信も可能で、文字データ、画像データ、或いは音楽データなどを他の情報端末装置に送信、或いは他の情報端末装置から受信することができる。同時に、ｈｔｔｐやｆｔｐなどのインターネットの転送プロトコルによる通信も可能で、音楽の配信サイトに接続することもできる。こうして得た音楽や音声データはスピーカ６、６ａを介して出力され、文字などを含む情報データは主表示部４に表示される。また、データ記憶部３３は一時的なデータの保存も行うことができるので、着信したＥメールやそれに含まれるデータもデータ記憶部３３に保存される。Ｅメールを送信する場合も、主操作部３で操作して主表示部４に表示させたデータはデータ記憶部３３に記憶され、送信の操作とともに送信される。
【００３０】
Ｅメールやインターネットを介して受信した音楽データは、データ記憶部３３に他のデータとともに一旦格納されるが、別途操作して記憶媒体７に転送することも可能である。この場合、記憶媒体７に他の音楽データが既に格納されていれば、転送された音楽データは追記される。記憶媒体７に格納されている音楽データを再生する場合は、前記したオーディオ操作部１５上で所定の再生操作を行うと、選択された音楽データや音声データはデータ変換部２９によって音声信号に変換され、音声制御部３１で増幅などの音声処理が行われた後、スピーカ６ａ、或いはスピーカ６ａとスピーカ兼用のマイク５とから出力される。
【００３１】
また、上記のようにして取得してデータ記憶部３３に記憶された音楽データに関する文字情報は、所定の操作を行うことによって、音声合成部３４を介して音声に合成され、スピーカ６ａからその情報が読み上げられるようにして出力される。この場合、Ｅメールが着信すると、その本文部を音声合成部３４によって合成して音声データや音楽データに使用されるものと同じデータ圧縮方式で圧縮する。そして、自動的にデータ記憶部３３から記憶媒体７に転送されるようにし、転送終了後その旨をオーディオ表示部１４で表示すると同時に、音楽データして聴けるように制御すれば、使用者は着信したＥメールの内容を、音楽を聴く操作で聴くことが可能になり甚だ便利である。
【００３２】
次に、この折畳み式携帯電話装置１がオーディオ機器に接続された場合の機能と動作について図４を参照して説明する。図４は、オーディオ機器が折畳み式携帯電話装置１に接続された構成を模式的に示す図である。図４で、参照符号４１はオーディオ機器であり、ＵＳＢ接続ケーブル４０を介して折畳み式携帯電話装置１の外部コネクタ８に接続されている。同時に、折畳み式携帯電話装置１が鞄やポケットに収納されている状態で、オーディオ機能を利用して操作するためのオーディオ用リモコン４２もオーディオ出力コネクタ９に接続されている。また、オーディオ用リモコン４２からのオーディオ出力はヘッドホン４３を介して出力され、ヘッドホン４３が接続されている場合は、スピーカ６ａから音声データや音楽データの出力は行われない。
【００３３】
折畳み式携帯電話装置１とオーディオ機器４１との接続は、本実施形態では、パソコンの周辺機器の接続に利用されるＵＳＢ規格のインターフェースを利用して行われるが、これに限らず、ＩＥＥＥ１３９４規格や、オーディオ専用インターフェースを利用することもできる。本実施形態では、折畳み式携帯電話装置１は、図示しないパソコンとも接続可能な構成であり、また、オーディオ機器もパソコンに接続できる構成であるため、ＵＳＢ規格のインターフェースを利用して接続する。
【００３４】
このようにして接続されたオーディオ機器４１は、外部機器制御部３６（図３）を介して、折畳み式携帯電話装置１によって基本的な操作が可能になる。すなわち、オーディオ機器４１のディスプレイ部４４に表示される音楽再生に必要な基本情報は、折畳み式携帯電話装置１のオーディオ表示部１４にも表示される。同時に、オーディオ機器４１に挿入された音楽ＣＤやＭＤの再生、早送り、巻き戻し、停止、一時停止、ボリュームアップ、ボリュームダウンの操作を、折畳み式携帯電話装置１のオーディオ操作部１５の各キー或いはオーディオ用リモコン４２の対応するキーを押下して行うことができる。
【００３５】
また、このオーディオ機器４１がパソコンとの間で音楽データの転送を行うことができる機種であれば、ＣＤやＭＤに記録されているデジタル方式の音楽データを、そのオーディオ機器４１が例えば折畳み式携帯電話装置１が理解できるＭＰＥＧ３のデータ圧縮形式に変換して、折畳み式携帯電話装置１にも転送できる。オーディオ機器４１に音楽データの圧縮の変換機能が付加されていない場合は、折畳み式携帯電話装置１に、他のデジタルデータ圧縮方式からＭＰＥＧ３に変換する機能を持たせることにより、同様に音楽データの転送が可能になる。このようにして、オーディオ機器４１から転送される音楽データは図３のデータ記憶部３３に一時保存され、その後手動或いは自動で記憶媒体７に記憶される。
【００３６】
尚、本実施形態の説明にあたっては、記憶媒体７は着脱可能な不揮発性メモリとして説明したが、折畳み式携帯電話装置１が内蔵する記憶装置であってもよいし、折畳み式携帯電話装置１に接続可能なハードディスク、或いは書き込み可能な光ディスクや光磁気ディスクであっても本発明の実施は可能である。
【００３７】
【発明の効果】
本発明によると、記憶媒体に記憶される音楽データの再生を、携帯電話装置が折り畳まれた状態で行うことができるので、例えばＭＰ３プレーヤやＭＤプレーヤなどの携帯型音楽再生装置とほぼ同じサイズになり、衣服のポケット、特に軽装時の上着のポケットに入れて移動再生することが可能になる。
【００３８】
また、その場合のオーディオに係わる操作部と表示部とを折り畳んだ状態の携帯電話装置の１つの外面に集中させて配置しているため、簡単な操作を可能にし、操作ミスが起こりにくい。
【００３９】
また、携帯電話装置が折り畳まれた状態であれば、音声合成部によって音楽データの情報が音声変換されて音声信号として出力され、また内蔵する音声認識部を介してオーディオ操作を音声で指示することも可能になり、特に両手がふさがっている状態であっても再生に必要な操作に支障を来すことが少なくなる。
【００４０】
さらに、外部機器制御手段と外部機器接続手段とを備えているため、所定のインターフェースを有する外部のオーディオ機器と接続可能で、通信を行える。そのため、本実施形態の折畳み式携帯電話装置のオーディオ操作部とオーディオ表示部を利用して、外部のオーディオ機器の遠隔操作を行うこと可能となる。同時に、その外部のオーディオ機器で再生される音楽データを所定のデータ圧縮方式に変換して、折畳み式携帯電話装置にダウンロードし、折畳み式携帯電話装置で再生することもできるため、使用者が音楽データを一元的に管理して再生することが可能になる。
【図面の簡単な説明】
【図１】本発明に係わる折畳み式携帯電話装置を開いた状態を示す斜視図である。
【図２】折畳み式携帯電話装置１を閉じた状態の正面図である。
【図３】折畳み式携帯電話装置１の制御に係わるブロック図である。
【図４】オーディオ機器が折畳み式携帯電話装置１に接続された構成を模式的に示す図である。
【符号の説明】
１    折畳み式携帯電話装置
２    アンテナ
４    主表示部
５    マイク
６、６ａ  スピーカ
７    記憶媒体
８    外部コネクタ
９    オーディオ出力コネクタ
１０  開閉センサ
１１  受話器側筐体
１２  送話器側筐体
１３  ヒンジ
１４  オーディオ表示部
１５  オーディオ操作部
１６  再生・一時停止キー
１７  停止キー
１８  早送りキー
１９  巻き戻しキー
２０  ボリュームアップキー
２１  ボリュームダウンキー
２９  データ変換部
３０  通信制御部
３１  音声制御部
３２  制御記憶部
３３  データ記憶部
３３  情報記憶部
３４  音声合成部
３５  音声認識部
３６  外部機器制御部
３７  システム制御部
４０  接続ケーブル
４１  オーディオ機器
４２  オーディオ用リモコン
４３  ヘッドホン
４４  ディスプレイ部
【図１】
2005006161.tif 000003
【図２】
2005006161.tif 000004
【図３】
2005006161.tif 000005
【図４】
2005006161.tif 000006